(57)【要約】【課題】観客動員数があまり多くない競技中に、競技の雰囲気が沈まないように適切なタイミングで競技の進行及び判定と関連する音声及び音響を競技場に提供することである。【解決手段】競技補助システム１００は、競技進行情報に対応するオーディオデータを予め保存する情報保存部１１０と、競技進行者端末２１０から無線により送信された競技進行リクエスト信号を受信する信号受信部１２０と、競技進行リクエスト信号に対応する競技進行情報を情報保存部１１０から選択する制御部１３０と、選択された競技進行情報を競技進行者端末２１０に伝送する信号伝送部１４０と、を備える。競技進行者端末２１０が無線により受信したオーディオデータは、競技進行者端末２１０と無線で結ばれたスピーカー２３０を介して出力される。【選択図】図２
2019088848.tif 000002
【特許請求の範囲】
【請求項１】
無線通信可能に構成され、かつ競技進行者が所持する競技進行者端末と結ばれて競技の進行を行う競技補助システムにおいて、
競技進行情報に対応するオーディオデータを予め保存する情報保存部と、
前記競技進行者端末から無線により送信された競技進行リクエスト信号を受信する信号受信部と、
前記競技進行リクエスト信号に対応する競技進行情報のオーディオデータを前記情報保存部から選択する制御部と、
前記選択されたオーディオデータを前記競技進行者端末に伝送する信号伝送部と、
を備え、
前記競技進行情報は、競技判定と関連する情報と、競技参与者と関連する情報と、競技進行と関連する情報と、を含み、
前記競技進行者端末が無線により受信したオーディオデータは、前記競技進行者端末と無線で結ばれたスピーカーを介して出力されることを特徴とする競技補助システム。
【請求項２】
前記競技進行リクエスト信号は、競技判定信号を含み、
前記制御部は、前記競技判定信号に対応するオーディオデータを選択することを特徴とする請求項１に記載の競技補助システム。
【請求項３】
前記競技進行リクエスト信号は、競技判定信号を含み、
前記競技補助システムは、
前記競技判定信号に基づいて競技参与者に対する競技記録を更新する競技記録計算部を更に備えることを特徴とする請求項１に記載の競技補助システム。
【請求項４】
前記情報保存部は、前記更新された競技記録を保存し、
前記信号受信部が前記競技進行者端末から競技参与者に対する競技参与者紹介信号を受信すれば、前記制御部は、前記競技参与者に対応する更新された競技記録を選択し、前記信号伝送部は、前記更新された競技記録に対応するオーディオデータを前記競技進行者端末に伝送することを特徴とする請求項３に記載の競技補助システム。
【請求項５】
前記信号受信部が競技参与者端末から競技中断リクエスト信号を受信すれば、前記制御部は、前記競技中断リクエスト信号に対応する競技進行情報のオーディオデータを前記情報保存部から選択し、前記信号伝送部は、前記選択されたオーディオデータを前記競技進行者端末に伝送することを特徴とする請求項１に記載の競技補助システム。
【請求項６】
無線通信可能に構成され、かつ競技進行者が所持する競技進行者端末と、
前記競技進行者端末と無線で結ばれたスピーカーと、
競技進行情報に対応するオーディオデータを予め保存する情報保存部と、
前記競技進行者端末から無線により送信された競技進行リクエスト信号を受信する信号受信部と、
前記競技進行リクエスト信号に対応する競技進行情報のオーディオデータを前記情報保存部から選択する制御部と、
前記選択されたオーディオデータを前記競技進行者端末に伝送する信号伝送部と、
を備え、
前記競技進行情報は、競技判定と関連する情報と、競技参与者と関連する情報と、競技進行と関連する情報と、を含み、
前記競技進行者端末は、無線により受信したオーディオデータを前記競技進行者端末と無線で結ばれた前記スピーカーを介して出力することを特徴とする競技補助システム。
【請求項７】
前記競技進行リクエスト信号は、競技判定信号を含み、
前記制御部は、前記競技判定信号に対応する競技進行情報のオーディオデータを選択し、前記選択されたオーディオデータは、前記信号伝送部によって前記競技進行者端末に伝送され、前記競技進行者端末は、前記スピーカーを介して前記伝送されたオーディオデータを出力することを特徴とする請求項６に記載の競技補助システム。
【請求項８】
前記競技補助システムは、
前記競技進行者端末と結ばれ、競技進行リクエスト信号に対応するボタンが形成された競技進行者入力機を更に備え、
前記ボタンが押下されれば、前記競技進行者入力機は、前記ボタンのボタン押下信号を前記競技進行者端末に伝送し、前記競技進行者端末は、前記ボタンに対応する競技進行リクエスト信号を前記信号受信部に伝送することを特徴とする請求項６に記載の競技補助システム。
【請求項９】
前記競技進行リクエスト信号は、競技判定信号を含み、
前記競技補助システムは、
前記競技判定信号に基づいて競技参与者に対する競技記録を更新する競技記録計算部を更に備えることを特徴とする請求項６に記載の競技補助システム。
【請求項１０】
前記情報保存部は、前記更新された競技記録を保存し、
前記競技進行リクエスト信号は、競技参与者紹介信号を含み、
前記信号受信部が前記競技進行者端末から競技参与者に対する競技参与者紹介信号を受信すれば、前記制御部は、前記競技参与者に対応する更新された競技記録を選択し、前記信号伝送部は、前記更新された競技記録に対応するオーディオデータを前記競技進行者端末に伝送し、前記競技進行者端末は、前記伝送されたオーディオデータを前記スピーカーを介して出力することを特徴とする請求項９に記載の競技補助システム。
【請求項１１】
前記競技補助システムは、
競技参与者端末を更に備え、
前記信号受信部が前記競技参与者端末から競技中断リクエスト信号を受信すれば、前記制御部は、前記競技中断リクエスト信号に対応する競技進行情報のオーディオデータを前記情報保存部から選択し、前記信号伝送部は、前記選択されたオーディオデータを前記競技進行者端末に伝送し、前記競技進行者端末は、前記伝送されたオーディオデータを前記スピーカーを介して出力することを特徴とする請求項６に記載の競技補助システム。
【発明の詳細な説明】
【技術分野】
【０００１】
本発明は、競技の進行を補助するための競技補助システムに係り、更に詳しくは、競技進行者が競技進行者入力機を介して競技の判定及び進行に対応するオーディオデータを選択すれば、これを競技場スピーカーを介して出力できるようにする競技補助システムに関する。
【背景技術】
【０００２】
図１は、社会人野球が行われる競技場の様子を示す写真である。
【０００３】
大勢の観衆が入場して観覧し且つ応援するプロ野球などのプロ競技とは異なり、社会人野球などのアマチュア競技は、図１に示すように、観客動員数があまり多くない。このような静かな雰囲気で行われる競技に参与する選手及び審判は、競技中に集中度が大幅に低下し、その結果、競技に興味を失ってしまうという現象が発生する。これは、アマチュア競技の拡散を妨げる障害となる。
【０００４】
もし、社会人野球などのアマチュア競技において、たとえ観客動員数があまり多くないとはいえ、プロ競技と同じレベルの場内アナウンサーによる選手の紹介、審判判定の強烈な叫び、観衆のウォークライ、応援の音楽が競技中の適切なタイミングで登場さえすれば、競技に参与する選手は自分も知らないうちに大勢の観衆の中で競技をするかのように思われ、競技が活気を帯び、少数の観客も競技に没入することができる。これは、アマチュア競技の活性化に大いに寄与する筈である。このような競技の雰囲気を造成するための取り組みが持続的に行われてきており、本発明はこのような問題を解決するに至った。
【発明の概要】
【発明が解決しようとする課題】
【０００５】
本発明の一実施形態に係る競技補助システムの目的は、観客動員数があまり多くない競技中に、競技の雰囲気が沈まないように適切なタイミングで競技の進行及び判定と関連する音声及び音響を競技場に提供することである。
【０００６】
本発明の目的は、上述したことに何等限定されるものではなく、未言及の他の目的は次の記載から通常の技術者にとって明らかに理解できる筈である。
【課題を解決するための手段】
【０００７】
本発明の一実施形態に係る競技補助システムは、無線通信可能に構成され、かつ競技進行者が所持する競技進行者端末と結ばれて競技の進行を行う競技補助システムであって、競技進行情報が保存される情報保存部と、前記競技進行者端末から無線により送信された競技進行リクエスト信号を受信する信号受信部と、前記競技進行リクエスト信号に対応する競技進行情報のオーディオデータを前記情報保存部から選択する制御部と、前記選択されたオーディオデータを前記競技進行者端末に伝送する信号伝送部と、を備え、前記競技進行情報は、競技判定と関連する情報と、競技参与者と関連する情報と、競技進行と関連する情報と、を含み、前記競技進行者端末に伝送されたオーディオデータは、スピーカーを介して出力されてもよい。
【０００８】
前記競技進行リクエスト信号は、競技判定信号を含み、前記制御部は、前記競技判定信号に対応するオーディオデータを選択してもよい。
【０００９】
前記競技進行リクエスト信号は、競技判定信号を含み、前記競技補助システムは、前記競技判定信号に基づいて競技参与者に対する競技記録を更新する競技記録計算部を更に備えていてもよい。
【００１０】
前記情報保存部は、前記更新された競技記録を保存し、前記信号受信部が前記競技進行者端末から競技参与者に対する競技参与者紹介信号を受信すれば、前記制御部は、前記競技参与者に対応する更新された競技記録を選択し、前記信号伝送部は、前記更新された競技記録に対応するオーディオデータを前記競技進行者端末に伝送してもよい。
【００１１】
前記信号受信部が競技参与者端末から競技中断リクエスト信号を受信すれば、前記制御部は、前記競技中断リクエスト信号に対応する競技進行情報のオーディオデータを前記情報保存部から選択し、前記信号伝送部は、前記選択されたオーディオデータを前記競技進行者端末に伝送してもよい。
【００１２】
本発明の他の実施形態に係る競技補助システムは、無線通信可能に構成され、かつ競技進行者が所持する競技進行者端末と、前記競技進行者端末と無線で結ばれたスピーカーと、競技進行情報に対応するオーディオデータを予め保存する情報保存部と、前記競技進行者端末から無線により送信された競技進行リクエスト信号を受信する信号受信部と、前記競技進行リクエスト信号に対応する競技進行情報のオーディオデータを前記情報保存部から選択する制御部と、前記選択された競技進行情報を前記競技進行者端末に伝送する信号伝送部と、を備え、前記競技進行情報は、競技判定と関連する情報と、競技参与者と関連する情報と、競技進行と関連する情報と、を含み、前記競技進行者端末は、無線により受信したオーディオデータを前記競技進行者端末と無線で結ばれた前記スピーカーを介して出力してもよい。
【００１３】
前記競技進行リクエスト信号は、競技判定信号を含み、前記制御部は、前記競技判定信号に対応する競技進行情報のオーディオデータを選択し、前記選択されたオーディオデータは、前記信号伝送部によって前記競技進行者端末に伝送され、前記競技進行者端末は、前記スピーカーを介して前記伝送されたオーディオデータを出力してもよい。
【００１４】
前記競技補助システムは、前記競技進行者端末と結ばれ、競技進行リクエスト信号に対応するボタンが形成された競技進行者入力機を更に備え、前記ボタンが押下されれば、前記競技進行者入力機は、前記ボタンのボタン押下信号を前記競技進行者端末に伝送し、前記競技進行者端末は、前記ボタンに対応する競技進行リクエスト信号を前記信号受信部に伝送してもよい。
【００１５】
前記競技進行リクエスト信号は、競技判定信号を含み、前記競技補助システムは、前記競技判定信号に基づいて競技参与者に対する競技記録を更新する競技記録計算部を更に備えていてもよい。
【００１６】
前記情報保存部は、前記更新された競技記録を保存し、前記競技進行リクエスト信号は、競技参与者紹介信号を含み、前記信号受信部が前記競技進行者端末から競技参与者に対する競技参与者紹介信号を受信すれば、前記制御部は、前記競技参与者に対応する更新された競技記録を選択し、前記信号伝送部は、前記更新された競技記録に対応するオーディオデータを前記競技進行者端末に伝送し、前記競技進行者端末は、前記伝送されたオーディオデータを前記スピーカーを介して出力してもよい。
【００１７】
前記競技補助システムは、競技参与者端末を更に備え、前記信号受信部が前記競技参与者端末から競技中断リクエスト信号を受信すれば、前記制御部は、前記競技中断リクエスト信号に対応する競技進行情報のオーディオデータを前記情報保存部から選択し、前記信号伝送部は、前記選択されたオーディオデータを前記競技進行者端末に伝送し、前記競技進行者端末は、前記伝送されたオーディオデータを前記スピーカーを介して出力してもよい。
【発明の効果】
【００１８】
本発明の一実施形態に係る競技補助システムは、観客動員数があまり多くない競技中に、競技の雰囲気が沈まないように適切なタイミングで競技の進行及び判定と関連する音声及び音響を競技場に提供することができるという効果を提供することができる。
【００１９】
本発明の効果は、上述したことに何等限定されるものではなく、未言及の他の効果は次の記載から通常の技術者にとって明らかに理解できる筈である。
【図面の簡単な説明】
【００２０】
【図１】社会人野球の行われる競技場の様子を示す写真である。
【図２】本発明の一実施形態に係る競技補助システムの概略図である。
【図３】本発明の一実施形態に係る競技補助システムにおいて、競技進行者入力機の入力に応じて行われるステップを示す図である。
【図４】本発明の一実施形態に係る競技補助システムにおいて、競技参与者端末の入力に応じて行われるステップを示す図である。
【発明を実施するための形態】
【００２１】
以下、添付図面に基づき、本発明の実施形態に係る競技補助システムについて詳細に説明する。本発明について説明するに当たって、通常の技術者にとって公知の機能又は構成についての詳細な説明を省略する。
【００２２】
図２は、本発明の一実施形態に係る競技補助システムの概略図であり、図３は、本発明の一実施形態に係る競技補助システムにおいて、競技進行者入力機の入力に応じて行われるステップを示す図である。
【００２３】
本発明に係る競技補助システム１００は、情報保存部１１０と、信号受信部１２０と、制御部１３０と、信号伝送部１４０及び競技記録計算部１５０を備えていてもよい。また、競技補助システム１００は、競技進行者端末２１０と、競技進行者入力機２２０と、スピーカー２３０及び競技参与者端末３１０を更に備えていてもよい。
【００２４】
競技進行者端末２１０とは、ネットワーク４００を介して競技補助システム１００に接続してデータが送受信可能な装置のことをいい、好適な例としては、スマートフォン、タブレットＰＣなどが挙げられる。ネットワーク４００とは、データが伝送可能な公知の有線又は無線のネットワークのことをいい、インターネット、データ通信網などを網羅する。競技進行者端末２１０は、競技進行者、例えば、審判が所持することが好ましい。
【００２５】
競技進行者入力機２２０とは、競技進行者が所持する入力装置であって、判定又は進行と関連するボタンが設けられて、競技中に手軽に押下可能な持ち運び易い装置のことをいう。競技進行者入力機２２０は、競技進行者端末２１０とブルートゥース（登録商標）などの公知の近距離無線通信網を介して結ばれてもよく、ワイファイ（登録商標）などの公知の無線通信網を介して結ばれてもよく、有線で互いに結ばれてもよい。
【００２６】
競技進行者入力機２２０のボタンが押下されれば、競技進行者入力機２２０は、ボタンが押下された旨を知らせるボタン押下信号を競技進行者端末２１０に伝送し（Ｓ１１０）、競技進行者端末２１０は、押下されたボタンに対応する競技進行リクエスト信号を信号受信部１２０に伝送する（Ｓ１２０）。
【００２７】
ここで、競技進行者が競技進行者入力機２２０のボタンを押下すると説明したが、競技進行者が競技進行者入力機２２０なしに競技進行者端末２１０を介して競技進行リクエスト信号を信号受信部１２０に伝送してもよい。
【００２８】
情報保存部１１０には、競技進行情報が保存される。競技進行情報は、オーディオデータ、出戦選手の名簿及び競技記録を含んでいてもよい。競技が野球競技である場合、競技進行情報は、「ストライク」、「ボール」、「アウト」、「セーフ」などの判定に対する審判の音声を含むオーディオデータであってもよい。オーディオデータの形態で製作された審判の判定音声は、観衆及び選手に面白さを与える口ぶりやトーンに形成されることが好ましく、音楽又は観衆のウォークライと結合されてもよい。
【００２９】
また、競技進行情報は、選手の競技記録及びこれを音声に変換したオーディオデータであってもよい。競技が野球競技である場合、競技進行情報は、選手の競技記録を音声に変換したオーディオデータであって、「４番打者イ・デホ」、「４番打者イ・デホ、今日、２打数無安打です。」、「４番打者イ・デホ、これまで５競技出戦して打率２割８分５厘で、ホームラン１つです。」などの場内アナウンサーの音声を含んでいてもよい。オーディオデータの形態で製作された場内アナウンサーの音声は、観衆及び選手に面白さを与える口ぶりやトーンに形成されることが好ましく、音楽又は観衆のウォークライと結合されてもよい。
【００３０】
競技進行情報は、競技参与者である監督によって競技前に提出された出戦選手の名簿であってもよい。監督は、有無線ネットワークを介して競技補助システム１００に接続して出戦選手の名簿を入力してもよい。
【００３１】
信号受信部１２０は、競技進行者端末２１０からネットワーク４００を介して競技進行リクエスト信号を受信する（Ｓ１２０）。競技進行リクエスト信号は、競技参与者紹介信号、競技進行信号及び競技判定信号を含んでいてもよい。例えば、競技参与者紹介信号は、「４番打者イ・デホ」などの競技参与者紹介又は競技参与者の競技記録紹介と関連する競技進行情報をリクエストする信号であり、競技進行信号は、「プレイボール」などの競技進行報知に対するオーディオデータをリクエストする信号であり、競技判定信号は、「ストライク」、「ボール」、「アウト」、「セーフ」などの審判判定に対するオーディオデータをリクエストする信号である。
【００３２】
制御部１３０は、競技進行リクエスト信号に対応する競技進行情報を情報保存部１１０から選択する。
【００３３】
信号伝送部１４０は、制御部１３０によって選択された競技進行情報をネットワーク４００を介して競技進行者端末２１０に伝送する（Ｓ１３０）。
【００３４】
競技進行者端末２１０は、スピーカー２３０とブルートゥース（登録商標）などの近距離無線通信網を介して結ばれてもよく、ワイファイ（登録商標）などの無線ネットワークを介して結ばれてもよく、有線で互いに結ばれてもよい。競技進行者端末２１０は、信号伝送部１４０によって伝送された競技進行情報をスピーカー２３０を介して出力する（Ｓ１４０）。「ストライク」、「ボール」、「アウト」、「セーフ」などの判定に対する審判の音声を含めたオーディオデータ又は選手紹介をする場内アナウンサーの音声を含めたオーディオデータがスピーカー２３０を介して出力される。スピーカー２３０は、映像信号を出力するディスプレイ装置とともに競技進行者端末２１０に結ばれてもよい。
【００３５】
競技記録計算部１５０は、競技進行リクエスト信号として伝送される競技判定信号に基づいて、競技参与者に対する競技記録を計算する。競技進行者端末２１０を介して伝送される全ての判定信号の記録が情報保存部１１０に保存された競技参与者の競技記録に適用され続けて競技参与者の競技記録が更新される。
【００３６】
更新された競技記録は、競技参与者が競技場に登場するときにスピーカー２３０を介して出力されてもよい。選手が競技場に登場するとき、競技進行者が競技進行者入力機２２０を介して競技参与者紹介に対応するボタンを押下すれば、競技進行者端末２１０は、信号受信部１２０に競技進行リクエスト信号として競技参与者紹介信号を送り、制御部１３０は、競技参与者に対応する競技記録を選択し、信号伝送部１４０は、競技記録を競技進行者端末２１０に伝送し、競技進行者端末２１０は、競技記録をスピーカー２３０を介して出力する。
【００３７】
図４は、本発明の一実施形態に係る競技補助システムにおいて、競技参与者端末の入力に応じて行われるステップを示す図である。
【００３８】
競技参与者端末３１０とは、ネットワーク４００を介して競技補助システム１００に接続してデータが送受信可能な装置のことをいい、好適な例としては、スマートフォン、タブレットＰＣなどが挙げられる。競技参与者端末３１０は、競技参与者、例えば、監督、コーチ及び選手が所持することが好ましい。
【００３９】
競技参与者端末３１０は、選手交替などの競技中断のリクエストを行うために使用可能である。競技参与者端末３１０が競技中断リクエスト信号をネットワーク４００を介して信号受信部１２０に伝送すれば（Ｓ２１０）、制御部１３０は、競技中断リクエスト信号に対応する競技進行情報、例えば、「タイムアウト」の音声を含めたオーディオデータを情報保存部１１０から選択し、信号伝送部１４０は、選択された競技進行情報を競技進行者端末２１０に伝送し（Ｓ２２０）、競技進行者端末２１０は、伝送された競技進行情報をスピーカー２３０を介して出力してもよい（Ｓ２３０）。
【００４０】
本発明の一実施形態に係る競技補助システム１００は、ドローンと、映像情報受信部と、映像情報伝送部及びディスプレイ装置を更に備えていてもよい。ドローンは、競技参与者を撮影してもよく、映像情報受信部は、公知の有無線ネットワークを介してドローンから撮影データを受信し、映像情報伝送部は、撮影データを競技補助システム１００に加入された会員の端末又は競技場のディスプレイ装置に伝送してもよい。
【００４１】
以下、本発明の一実施形態に係る競技補助システム１００について、野球競技を例にとってステップ別に説明する。野球競技は、本発明の構成を説明するために例として挙げた競技に過ぎず、本発明が野球競技に限定されるものではないということに留意すべきである。本発明は、全ての運動競技やイベントに適用可能である。
【００４２】
野球競技に参与する競技参与者である監督及び選手は、競技補助システム１００に会員として加入されていることが好ましい。野球競技が始まる前に、競技参与者である両チームの監督は、競技補助システム１００に接続してＩＤ及びパスワードを入力し、競技出戦選手の名簿及び打順を入力する。
【００４３】
競技補助システム１００の情報保存部１１０には、各選手の競技記録、例えば、名前、所属、ポジション、背番号、打率、防御率、出戦競技数などが保存されている。競技記録は、野球競技が行われる間に競技記録計算部１５０によって更新されて情報保存部１１０に保存される。
【００４４】
野球競技が始まると、競技進行者である審判は、競技進行者入力機２２０を所持して競技の進行を行う。審判は、競技の開始を知らせ、競技進行者入力機２２０の「開始」ボタンを押下すれば、競技進行者入力機２２０は、無線又は有線で結ばれた競技進行者端末２１０に「開始」のボタン押下信号を伝送する。競技進行者端末２１０は、競技進行リクエスト信号として「開始」信号をネットワーク４００を介して信号受信部１２０に伝送する。制御部１３０は、信号受信部１２０に伝送された「開始」信号に対応する競技進行情報を情報保存部１１０から検索して、「プレイボール」という音声が含まれたオーディオデータを競技進行情報として選択し、信号伝送部１４０がネットワーク４００を介して「プレイボール」という音声が含められたオーディオデータを競技進行者端末２１０に伝送する。競技進行者端末２１０は、有線又は無線で結ばれたスピーカー２３０に「プレイボール」という音声が含まれたオーディオデータを伝送して、競技場に「プレイボール！」という音声が出力されるようにする。競技場の雰囲気を高調させるために、音声に加えて、高いリズムの賑やかな音楽又は観衆のウォークライを一緒に出力してもよい。
【００４５】
攻撃チームの１番打者が登場するとき、審判は、競技進行者入力機２２０の「打者入場」ボタンを押下すれば、競技進行者入力機２２０は、無線又は有線で結ばれた競技進行者端末２１０に「打者入場」のボタン押下信号を伝送する。競技進行者端末２１０は、競技進行リクエスト信号として「打者入場」信号をネットワーク４００を介して信号受信部１２０に伝送する。制御部１３０は、信号受信部１２０に伝送された「打者入場」信号に対応する競技進行情報を情報保存部１１０から検索して、攻撃チーム監督が入力した出戦選手の名簿から１番打者に対する競技記録及びこれに対する音声が含まれたオーディオデータを競技進行情報として選択し、信号伝送部１４０がネットワーク４００を介して１番打者に対する競技記録及びこれに対する音声が含まれたオーディオデータを競技進行者端末２１０に伝送する。競技進行者端末２１０は、有線又は無線で結ばれたスピーカー２３０に１番打者の競技記録に対する音声が含まれたオーディオデータを伝送して、競技場に「１番打者キム・チョルス」又は「１番打者キム・チョルス、これまで１２競技に出戦して打率３割２分９厘です。」という音声が出力されるようにする。競技場の雰囲気を高調させるために、音声に加えて、１番打者に指定された高いリズムの賑やかな音楽又は観衆のウォークライを一緒に出力してもよい。
【００４６】
ここでは、競技記録に対する音声が含まれたオーディオデータが情報保存部１１０に保存されていて、競技進行者端末２１０に伝送されると説明したが、競技進行者端末２１０には競技記録のみが伝送され、競技進行者端末２１０にインストールされたプログラムから伝送された競技記録を音声に変換してもよい。
【００４７】
守備チームの投手が投球をしてストライクになると、審判は、競技進行者入力機２２０の「ストライク」ボタンを押下する。競技進行者入力機２２０は、無線又は有線で結ばれた競技進行者端末２１０に「ストライク」のボタン押下信号を伝送する。競技進行者端末２１０は、競技進行リクエスト信号として「ストライク」信号をネットワーク４００を介して信号受信部１２０に伝送する。制御部１３０は、信号受信部１２０に伝送された「ストライク」信号に対応する競技進行情報を情報保存部１１０から検索して、「ストライク」という音声が含まれたオーディオデータを競技進行情報として選択し、信号伝送部１４０がネットワーク４００を介して「ストライク」という音声が含まれたオーディオデータを競技進行者端末２１０に伝送する。競技進行者端末２１０は、有線又は無線で結ばれたスピーカー２３０に「ストライク」という音声が含まれたオーディオデータを伝送して、競技場に「ストライク！」という音声が出力されるようにする。競技場の雰囲気を高調させるために、音声に加えて、音楽又は観衆のウォークライを一緒に出力してもよい。
【００４８】
攻撃チームの打者が２塁打を打つと、審判は、競技進行者入力機２２０の「２塁打」ボタンを押下する。競技進行者入力機２２０は、無線又は有線で結ばれた競技進行者端末２１０に「２塁打」のボタン押下信号を伝送する。競技進行者端末２１０は、競技進行リクエスト信号として「２塁打」信号をネットワーク４００を介して信号受信部１２０に伝送する。制御部１３０は、信号受信部１２０に伝送された「２塁打」信号に対応する競技進行情報を情報保存部１１０から検索して、「２塁打」という音声が含まれたオーディオデータを競技進行情報として選択し、信号伝送部１４０がネットワーク４００を介して「２塁打」という音声が含まれたオーディオデータを競技進行者端末２１０に伝送する。競技進行者端末２１０は、有線又は無線で結ばれたスピーカー２３０に「２塁打」という音声が含まれたオーディオデータを伝送して、競技場に「２塁打！」という音声が出力されるようにする。競技場の雰囲気を高調させるために、音声に加えて、音楽又は観衆のウォークライを一緒に出力してもよい。
【００４９】
競技記録計算部１５０は、各打者の攻撃結果を用いて各打者の競技記録を更新し、更新された競技記録は情報保存部１１０に保存されて次の打順で用いられる。
【００５０】
ここでは、競技判定と関連する音声が含まれたオーディオデータが情報保存部１１０に保存されていて、競技進行者端末２１０に伝送されると説明したが、競技進行者端末２１０に予め保存されたオーディオデータが用いられてもよい。
【００５１】
競技参与者である監督が代打を起用したり、投手を交替しようとしたりする場合には、競技参与者端末３１０を介して「タイムアウト（ｔｉｍｅ−ｏｕｔ）」を選択すれば、競技参与者端末３１０は、競技中断リクエスト信号として「タイムアウト」のボタン押下信号をネットワーク４００を介して信号受信部１２０に伝送する。制御部１３０は、信号受信部１２０に伝送された「タイムアウト」信号に対応する競技進行情報を情報保存部１１０から検索して、「タイムアウト」という音声が含まれたオーディオデータを競技進行情報として選択し、信号伝送部１４０がネットワーク４００を介して「タイムアウト」という音声が含まれたオーディオデータを競技進行者端末２１０に伝送する。競技進行者端末２１０は、有線又は無線で結ばれたスピーカー２３０に「タイムアウト」という音声が含まれたオーディオデータを伝送して、競技場に「タイムアウト！」という音声が出力されるようにする。競技場の雰囲気を喚起させるために、音声に加えて、音楽又は観衆のウォークライを一緒に出力してもよい。
【００５２】
本発明の一実施形態に係る競技補助システムは、観客動員数があまり多くないアマチュア競技に活力を与えて、選手及び審判の競技への集中度を高め、選手、審判及び観衆に遊技的な面白さを与えて、アマチュアスポーツのすそ野の拡大に寄与することができる。
【００５３】
以上、本発明の具体的な実施形態について説明したが、本発明の範囲から逸脱しない範囲内において各種多様に変形可能であるということは、通常の技術者にとって自明であるといえる。
【符号の説明】
【００５４】
１００  競技補助システム、１１０  情報保存部、１２０  信号受信部、１３０  制御部、１４０  信号伝送部、１５０  競技記録計算部、２１０  競技進行者端末、２２０  競技進行者入力機、２３０  スピーカー、３１０  競技参与者端末、４００  ネットワーク。
【図１】
2019088848.tif 000003
【図２】
2019088848.tif 000004
【図３】
2019088848.tif 000005
【図４】
2019088848.tif 000006